(57)【要約】【課題】押圧操作に応動する接点装置において、配置スペースが狭く、当該接点装置が組み込まれ電気機器の小型化が可能である接点装置を提供する。【解決手段】本接点装置１は、二段スイッチ操作が可能な接点装置であり、電気基板３と、接片４と、操作部材６とを有し、電気基板３にはスルーホール３ｅと、２つのスルーホール３ｆ，３ｇとが設けられる。接片４は、突起形状の接点部４ｆ，４ｇと、右端部にスルーホール３ｅに接続されるコモン接続部４ｅとが設けられ、接片４は、接片支持台５により電気基板３に取り付けられる。操作部材６の一段目の押圧操作により接片４が変形して接点部４ｆとスルーホール３ｆとが接触する。さらに、二段目の押圧操作により、接点部４ｇとスルーホール３ｇとが接触する。本接点装置１は、接片４を適用することから前後方向の占有エリアが少ない。【選択図】図１
2005267907.tif 000002
【特許請求の範囲】
【請求項１】
導電性のスルーホールを有する電気基板と、
上記スルーホール内で変位して上記スルーホール内面に接触するバネ性を有する接点としての接片と、
を有することを特徴とする接点装置。
【請求項２】
複数の導電性のスルーホールを有し、上記接片が変位させられると、上記接片は、順次、各スルーホール内面に接触することを特徴とする請求項１記載の接点装置。
【請求項３】
上記接片は、板状の部材からなり、上記電気基板の面に対して垂直に上記接片の板状部が立てられ、上記接片は、上記電気基板の面に沿って変位することを特徴とする請求項１、または、２記載の接点装置。
【発明の詳細な説明】
【技術分野】
【０００１】
本発明は、電気基板に配置される接点装置の構造に関する。
【背景技術】
【０００２】
従来、電気基板に配置され、押圧操作される接点装置の構造に関して特許文献１に提案されたものは、カメラのレリーズスイッチ等として適用可能な二段スイッチに関するものであり、この二段スイッチは、一押圧動作の一段目のストロークで第一接点が閉じ、二段目のストロークで第二接点が閉じるスイッチ構造を有している。
【０００３】
上記従来の二段スイッチ５０は、図７の分解斜視図に示すように電気基板６５上の配置される薄板状金属バネ板からなる可動接片５１を有しており、該可動接片５１は、所定の方向に沿って配置される第一接点部５１ａと第二接点部５１ｂと、上記所定の方向（変位方向）とは異なる方向に延びる変形部５１ｄとその端部に設けられる基端部５１ｃとを有している。基端部５１ｃをビス５８によって電気基板６５のコモンパターン部６６の穴部に固着する。また、電気基板６５には、コモンパターン部６６の他に第一，二接点部５１ａ，５１ｂと接触可能な固定接点パターン６２，６３が配されている。
【特許文献１】特許文献１は、実用新案公告公報平成５−２６６５３号である。
【発明の開示】
【発明が解決しようとする課題】
【０００４】
上述した従来の二段スイッチ５０は、可動接片５１として第一接点部５１ａおよび第二接点部５１ｂと、該接点部が並ぶ方向（変位方向）と異なる方向に延出する変形部５１ｄとを必要とする。したがって、スイッチとして変位方向と異なる方向の広いスペースが必要であり、該スイッチを配置する電気機器の小型化の支障になっていた。
【０００５】
本発明は、上述の問題を解決するためになされたものであり、電気基板をもつ接点装置において、配置スペースが狭く、接点装置を組み込む電気機器の小型化が可能な接点装置を提供することを目的とする。
【課題を解決するための手段】
【０００６】
本発明の請求項１記載の接点装置は、導電性のスルーホールを有する電気基板と、上記スルーホール内で変位して上記スルーホール内面に接触するバネ性を有する接点としての接片とを有しており、上記接片が上記スルーホールと接触することにより信号が出力される。
【０００７】
本発明の請求項２記載の接点装置は、請求項１記載の接点装置において、複数の導電性のスルーホールを有し、上記接片が変位させられると、上記接片は、順次、各スルーホール内面に接触する。
【０００８】
本発明の請求項３記載の接点装置は、請求項１、または、２記載の接点装置において、上記接片は、板状の部材からなり、上記電気基板の面に対して垂直に上記接片の板状部が立てられ、上記接片は、上記電気基板の面に沿って変位する。
【発明の効果】
【０００９】
本発明によれば、電気基板を有する接点装置において、配置スペースが狭く、当該接点装置が組み込まれる電気機器の小型化が可能な接点装置を提供することができる。
【発明を実施するための最良の形態】
【００１０】
以下、図を用いて、本発明の実施形態について説明する。 
図１は、本発明の第一実施形態の接点装置の要部を示す斜視図であり、図２は、上記接点装置の分解斜視図である。図３（Ａ），（Ｂ），（Ｃ）は、図１のＡ矢視図であって、図３（Ａ）は、第一，第二スイッチのオフ状態（操作部材解放状態）を示し、図３（Ｂ）は、第一スイッチのオン状態（操作部材第一押圧状態）を示し、図３（Ｃ）は、第一，第二スイッチのオン状態（操作部材第二押圧状態）を示す。図４（Ａ），（Ｂ），（Ｃ）は、図１のＢ矢視図であって、図４（Ａ）は、第一，第二スイッチのオフ状態（操作部材解放状態）を示し、図４（Ｂ）は、第一スイッチのオン状態（操作部材第一押圧状態）を示し、図４（Ｃ）は、第一，第二スイッチのオン状態（操作部材第二押圧状態）を示す。図５は、図３のＣ−Ｃ断面図である。
【００１１】
なお、以下の説明において、接点装置の水平方向をＸ方向とし、上下方向をＺ方向とし、Ｘ，Ｚ方向に直交する前後方向をＹ方向として説明する。
【００１２】
本実施形態の接点装置１は、カメラ等の電気機器に組み込まれる接点装置、例えば、レリーズスイッチ等の二段スイッチ操作が可能な接点装置であり、該接点装置が組み付けられる機器側接点装置取り付け部２と、電気基板３と、接点としての接片４と、スイッチ操作部材６とを有してなる。
【００１３】
接点装置取り付け部２には、電気基板３を位置決めし、かつ、支持する位置決めピン２ａ，２ｂが設けられる。
【００１４】
電気基板３には、位置決めピン２ａ，２ｂが嵌入する位置決め穴３ａおよび位置決め長穴３ｂと、接片４を位置決めし、かつ、支持する位置決め穴３ｃ，位置決め長穴３ｄと、コモン電極部となるコモンスルーホール３ｅと、第一スイッチを構成し、一方の固定接点部となる導電性のスルーホール３ｆと、第二スイッチを構成し、他方の固定接点部となる導電性のスルーホール３ｇと、接片ストッパ穴３ｈとが設けられる。
【００１５】
スルーホール３ｆ，接片ストッパ穴３ｈ，スルーホール３ｇ，位置決め長穴３ｄ，位置決め穴３ｃ，コモンスルーホール３ｅは、左側（図１）より順にＸ方向に沿って直列状に配置されている。
【００１６】
スルーホール３ｆ，３ｇは、四角穴形状を有しており、内周全周にわたって導電性を有する金属メッキ、例えば、銅メッキされ、さらに、金メッキ表面処理が施されている。スルーホール３ｆ，３ｇ内周面の下辺が導電接触面３f1，３g1となる。なお、コモンスルーホール３ｅおよびスルーホール３ｆ，３ｇには、スイッチ接続端子部（図示せず）に通じる接続パターン部３ｉ，３ｊ，３ｋが設けられる。
【００１７】
接片４は、弾性変形可能なバネ性を有する真直状金属板部材からなる。接片４には、真直な板状部４ｍと、左側から順に第一スイッチを構成する第一接点部４ｆと、位置決め突起４ｈと、第二スイッチを構成する第二接点部４ｇと、右端部にコモン接続部４ｅとが装置取り付け部２側に突出する突起形状で設けられる。また、コモン接続部４ｅの近傍に絶縁材からなる接片支持台５が固着されている。接片支持台５には、２つの支持ピン５ａが設けられている。なお、接片支持台５は、接片に対してインサートやアウトサート等により樹脂で形成してよい。
【００１８】
接片４は、電気基板３に対して接点部４ｆ，４ｇをスルーホール３ｆ，３ｇに挿入し、位置決め突起４ｈを接片ストッパ穴３ｈに挿入し、コモン接続部４ｅをコモンスルーホール３ｅに挿入した状態とする。そして、接片支持台５の支持ピン５ａが電気基板３の位置決め穴３ｃ，長穴３ｄに嵌入させて接着固定され、さらに、図５に示すようにコモン接続部４ｅは、コモンスルーホール３ｅの周囲に形成された導電パターン３ｎにて半田７により半田付けされる。上述した取り付け状態の接片４は、電気基板３のパターン面３ｍに対して接片長手方向がＸ方向に沿って、かつ、接片４の板状部４ｍの面がパターン面３ｍに垂直に立つ状態で支持される。
【００１９】
スイッチ操作部材６は、接片４の第一接点部４ｆと第二接点部４ｇの間であって、かつ、第二接点部４ｇ寄り板状部４ｍの面上の位置でＺ方向に向けて解放位置，第一押圧位置第二押圧位置に押圧移動自在に配置される。但し、スイッチ操作部材６の押圧位置は、上述の位置以外で第二接点部４ｇの近傍の接片支持台５側であってもよく、所望の操作特性に合わせて選択される。
【００２０】
上述した構成を有する本実施形態の接点装置１のオンオフ動作状態について説明すると、スイッチ操作部材６がオフ位置（解放位置）にあるときは、図３（Ａ），４（Ａ）に示すように接片４は、真直状態に保持されており、位置決め突起４ｈが接片ストッパ穴３ｈの上面に当接している。第一，二接点部４ｆ，４ｇは、スルーホール３ｆ，３ｇ中に非接触状態で位置しており、接点部４ｆとスルーホール３ｆとからなる第一スイッチ、および、接点部４ｇとスルーホール３ｇからなる第二スイッチは、ともにオフ状態に保持される。
【００２１】
スイッチ操作部材６を一段目操作としてＺ方向に所定量だけ第一押圧位置まで押圧操作すると、図３（Ｂ），４（Ｂ）に示すように接片４が電気基板３のパターン面３ｍに沿って弾性変形してその先端側の接点部４ｆがスルーホール３ｆ内で変位し、スルーホール３ｆの下辺の導電接触面３f1に接触する。スルーホール３ｆとコモンスルーホール３ｅが導通状態となり、第一スイッチは、オン状態に切り換わる。接点部４ｇとスルーホール３ｇは、非接触状態を保ち、第二スイッチはオフ状態に保持される。
【００２２】
さらに、スイッチ操作部材６を二段目操作としてＺ方向にさらに所定量だけ第二押圧位置まで押圧操作すると、図３（Ｃ），４（Ｃ）に示すように接片４は、接点部４ｆの接触状態のまま、電気基板３のパターン面３ｍに沿ってさらに弾性変形して接点部４ｇがスルーホール３ｇ内で変位し、スルーホール３ｇの下辺の導電接触面３g1に接触する。スルーホール３ｇとコモンスルーホール３ｅが導通状態となり、第二スイッチは、オン状態に切り換わる。第一スイッチはオン状態に保持される。
【００２３】
その後、スイッチ操作部材６を解放すると、図３（Ｂ）に状態を経て図３（Ａ）に示す第一，二スイッチがともにオフとなる状態に戻る。
【００２４】
なお、スルーホール３ｆ，３ｇの下辺の導電接触面３f1と３g1とのＺ方向の位置は、図３等に示すように導電接触面３g1の方が僅かに低くなっているが、この高さは、第一スイッチオン後、第二スイッチがオンするまでのスイッチ操作部材６のストロ−クに影響する。従って、必要に応じて上記高さを設定する必要がある。
【００２５】
上述した接片４を押圧変形させることにより接片４が受ける曲げモーメント，剪断力は、接片支持台５で受けることになる。従って、上記曲げモーメント等は、コモン接続部４ｅとコモンスルーホール３ｅ，導電パターン３ｎとの半田付け部には伝達されず、該半田付け部がスイッチ操作の繰り返しによって剥離する等が防止される。
【００２６】
上述した第一実施形態の接点装置１においては、Ｙ方向の占有スペ−スが電気基板３の厚みと接片４の板状部４ｍの幅とに相当するスペ−スでよく、Ｙ方向に極めて少ないスペ−ス内に接点装置を収容することができる。例えば、カメラ等に組み込んだ場合、カメラの薄型化に都合がよい。また、この接点装置１は、スルーホールを有する電気基板３と単純な板形状の接片４とスイッチ操作部材６とからなる簡単な構成を有し、電気基板３のスルーホールをスイッチ接点部として利用したものであって、低コストの接点装置を提供することができる。
【００２７】
次に、本発明の第二実施形態の接点装置について図６の斜視図を用いて説明する。 
上記第二実施形態の接点装置１１は、電気基板１３と、接点バネ部材１４と、スイッチ操作部材１６と、電気基板１３を支持する機器側接点装置取り付け部（図示せず）とを有してなる。
【００２８】
電気基板１３には、接点バネ部材１４を位置決め、かつ、支持するランド穴を有したコモン電極部であるコモンランド部１３ｅと、固定接点部となる導電性のスルーホール１３ｆと、位置決め切り欠き１３ｇと、操作部材逃げ部１３ｈとが設けられる。
【００２９】
スルーホール１３ｆ，切り欠き１３ｇ，コモンランド部１３ｅは、左側（図６）より順にＸ方向に沿って直列状に配置されている。
【００３０】
スルーホール１３ｆは、四角穴形状を有しており、電気基板３の場合と同様の金メッキ表面処理が施されている。その内周面が導電接触面１３f1となる。なお、コモンランド部１３ｅおよびスルーホール１３ｆには、スイッチ接続端子部（図示せず）に通じる接続パターン部１３ｉ，１３ｊが設けられる。
【００３１】
接点バネ部材１４は、弾性変形可能なバネ性を有する折り曲げ形状の金属線材からなる。接点バネ部材１４には、左側端部に先端部を電気基板側に折り曲げて形成した接点部１４ｆと、右端側部に先端部を反電気基板側に折り曲げて形成したコモン接続部１４ｅと、コモン接続部１４ｅ近傍にてクランク状に折り曲げて形成した折り曲げ部１４ｇと、折り曲げ部１４ｇと接点部１４ｆとの間に真直部１４ｍとが設けられる。
【００３２】
接点バネ部材１４は、電気基板１３に対して接点部１４ｆをスルーホール１３ｆに挿入し、折り曲げ部１４ｇを位置決め切り欠き部１３ｇに挿入し、その底部に当接させる。さらに、コモン接続部１４ｅをコモンランド部１３ｅのランド穴に挿入した状態とする。そこで、コモン接続部１４ｅをコモンランド部１３ｅに半田付けする。上述した取り付け状態で接点バネ部材１４は、真直部１４ｍが電気基板１３のパターン面１３ｍに沿ってＸ方向に延びる状態で支持される。
【００３３】
スイッチ操作部材１６は、接点バネ部材１４の接点部１４ｆと折り曲げ部１４ｇの間の真直部１４ｍ上を押圧可能な位置に配置される。
【００３４】
上述した構成を有する本実施形態の接点装置１１のオンオフ動作状態について説明すると、スイッチ操作部材１６がオフ位置（解放位置）にあるときは、図６に示すように接点バネ部材１４は、真直状態に保持されており、接点部１４ｆは、スルーホール１３ｆ中に非接触状態で位置している。接点部１４ｆとスルーホール１３ｆとからなるスイッチはオフ状態に保持されている。
【００３５】
スイッチ操作部材６をＺ方向に所定量だけ押圧すると、接点バネ部材１４が電気基板３のパターン面１３ｍに沿って弾性変形して接点部１４ｆが変位し、スルーホール１３ｆの下辺の導電接触面１３f1に接触する。その接触によりスルーホール１３ｆとコモンスルーホール１３ｅが導通状態となり、スイッチオン状態に切り換わる。接点バネ部材１４が上述のように変形したときの変形力は、位置決め切り欠き部１３ｇの底部で受ける。
【００３６】
その後、スイッチ操作部材１６を解放すると、図６に示すスイッチオフ状態に戻る。
【００３７】
上述した第二実施形態の接点装置１１によれば、前述した第一実施形態による効果に加えて、接点バネ部材１４として線材を適用したので、接点装置のＹ方向の占有スペ−スをさらに減らすことができ、該接点装置が組み込まれる電気機器の厚みを減じることに大きく寄与することができる。また、接点構造も簡単なものとなる。
【００３８】
また、上述した各実施形態ではスイッチ操作部材６，１６を電気基板３，１３と平行な方向に押圧するような構成を採用したが、スイッチ操作部材６，１６の先端部に斜めにカットした斜面を形成し、この斜面によって接片、または、接点バネ部材１４を電気基板３，１３に向けて垂直に押圧するような構造をとってもよい。但し、上記接片の場合、その板状面は、電気基板３と平行とする。
【産業上の利用可能性】
【００３９】
本発明による接点装置は、押圧操作される接点装置において、配置スペースが狭く、当該接点装置が組み込まれる電気機器の小型化が可能な接点装置として利用できる。
【図面の簡単な説明】
【００４０】
【図１】本発明の第一実施形態の接点装置の要部を示す斜視図である。
【図２】図１の接点装置の分解斜視図である。
【図３】図１の接点装置の各動作状態を図１のＡ矢視図で示すもので、図３（Ａ）は、第一，第二スイッチのオフ状態を示し、図３（Ｂ）は、第一スイッチのオン状態を示し、図３（Ｃ）は、第一，第二スイッチのオン状態を示す。
【図４】図１の接点装置の各動作状態を図１のＢ矢視図で示すもので、図４（Ａ）は、第一，第二スイッチのオフ状態を示し、図４（Ｂ）は、第一スイッチのオン状態を示し、図４（Ｃ）は、第一，第二スイッチのオン状態を示す。
【図５】図３のＣ−Ｃ断面図である。
【図６】本発明の第二実施形態の接点装置の要部を示す斜視図である。
【図７】従来の接点装置の分解斜視図である。
【符号の説明】
【００４１】
１，１１
…接点装置
３，１３
…電気基板
３ｆ，３ｇ，１３ｆ
…スルーホール
３ｍ，１３ｍ
…パターン面（電気基板の面）
３f1，３g1，１３f1
…接触面（スルーホール内面）
４  …接片
４ｍ…接片の板状部
代理人      弁理士    伊  藤    進
【図１】
2005267907.tif 000003
【図２】
2005267907.tif 000004
【図３】
2005267907.tif 000005
【図４】
2005267907.tif 000006
【図５】
2005267907.tif 000007
【図６】
2005267907.tif 000008
【図７】
2005267907.tif 000009